(57)【要約】【課題】  眼圧測定用のノズルを通さずにスリット光束を投影し、広い範囲の角膜断面画像を精度良く得て角膜厚を測定できる眼科装置を提供する。【解決手段】  被検眼眼圧を測定する眼圧測定手段と、被検眼角膜に光束を投影し、その反射光を検出して角膜の厚さを測定する角膜厚測定手段と、を備える眼科装置において、前記角膜厚測定手段は、被検眼の斜め方向の第１軸から被検眼角膜にスリット光束を投影するスリット及び投影レンズを持つ投影光学系であって、前記スリット及び投影レンズがシャインプルーフの原理に基づいて配置された投影光学系と、被検眼の斜め方向の第２軸から被検眼角膜に投影されたスリット断面像を検出する撮影レンズ及び撮像素子を持つ検出光学系であって、スリット断面像に対して前記撮影レンズ及び撮像素子がシャインプルーフの原理に基づいて配置された検出光学系と、を備える。【選択図】      図２
2008011878.tif 000002
【特許請求の範囲】
【請求項１】
被検眼角膜にノズルから圧縮流体を吹き付け、角膜が所定変形になったことを光学的に検知して眼圧を測定する眼圧測定手段と、被検眼角膜に光束を投影し、その反射光を検出して角膜の厚さを光学的に測定する角膜厚測定手段と、を備える眼科装置において、
前記角膜厚測定手段は、被検眼の斜め方向の第１軸から被検眼角膜にスリット光束を投影するスリット及び投影レンズを持つ投影光学系であって、スリット光束が前記ノズルの中心軸方向から被検眼角膜に投影されたときと同じとなるように、前記スリット及び投影レンズがシャインプルーフの原理に基づいて配置された投影光学系と、
被検眼の斜め方向の第２軸から被検眼角膜に投影されたスリット断面像を検出する撮影レンズ及び撮像素子を持つ検出光学系であって、スリット断面像に対して前記撮影レンズ及び撮像素子がシャインプルーフの原理に基づいて配置された検出光学系と、を備え、
前記撮像素子により撮像されたスリット断面像に基づいて角膜厚を求めることを特徴とする眼科装置。
【請求項２】
請求項１の眼科装置において、前記投影光学系の第１軸及び前記ノズルの中心軸が含まれる平面に対して、前記第２軸及び前記ノズルの中心軸が含まれる平面が垂直となるように前記検出光学系が配置されていることを特徴とする眼科装置。
【請求項３】
請求項１の眼科装置において、前記スリットは、角膜のカーブに沿ったスリット像が投影されるように、曲面形状のスリット板に形成されていることを特徴とする眼科装置。
【発明の詳細な説明】
【技術分野】
【０００１】
本発明は、被検眼の眼圧と角膜厚を非接触で測定する眼科装置に関する。
【背景技術】
【０００２】
被検眼角膜へ向けてノズルから空気等の流体を加圧して噴出し、噴出された流体による角膜の変形状態を検出して眼圧を測定する非接触眼圧計に、被検眼角膜に光束を投影し、その反射光を検出して角膜の厚さを光学的に測定する角膜厚測定手段を設け、角膜厚に基づいて眼圧の測定値を補正する装置が提案されている（例えば、特許文献１及び２を参照）。
【０００３】
また、角膜厚を非接触で測定可能な装置としては、被検眼の正面方向からスリット光束を投影し、被検眼の斜め方向からスリット断面像をシャインプルーフの原理に基づいて配置された撮像光学系により撮像し、広い範囲の角膜厚を精度良く求めるようにしたものが知られている（特許文献３）。
【特許文献１】特表平８−５０７４６３号公報
【特許文献２】特開２０００−６０８０１号公報
【特許文献３】特開昭６３−１９７４３３号公報
【発明の開示】
【発明が解決しようとする課題】
【０００４】
角膜厚測定用のスリット光束を投影する際、スリット光束は角膜に一様に投影し、且つ角膜厚を測定する角膜断面に沿って投影することが好ましい。この場合、特許文献３のように、角膜に対して正面方向からスリット光束を投影することが最も簡便な方法である。
【０００５】
しかしながら、非接触式眼圧計に角膜厚測定手段を設けた装置においては、スリット光束を被検眼の正面方向から投影しようとすると、流体を吹き付けるノズル及びこのノズルを保持する光学部材があるため、スリット光束がノズルによりけられ、また、ノズルを保持する光学部材によりスリット光束の結像性能が低下し、ノズルの径より広い範囲の角膜厚を精度良く測定できない問題がある。また、ノズルの軸線方向からスリット光束を投影しようとすると、眼圧測定手段及び観察手段の光学部材がノズルの軸線方向にあり、光量損失が大きくなる。
【０００６】
本発明は、上記従来技術の問題点に鑑み、眼圧測定用のノズルを通さずにスリット光束を投影し、広い範囲の角膜断面画像を精度良く得て角膜厚を測定できる眼科装置を提供することを技術課題とする。
【課題を解決するための手段】
【０００７】
上記課題を解決するために、本発明は以下のような構成を備えることを特徴とする。
【０００８】
（１）  被検眼角膜にノズルから圧縮流体を吹き付け、角膜が所定変形になったことを光学的に検知して眼圧を測定する眼圧測定手段と、被検眼角膜に光束を投影し、その反射光を検出して角膜の厚さを光学的に測定する角膜厚測定手段と、を備える眼科装置において、
前記角膜厚測定手段は、被検眼の斜め方向の第１軸から被検眼角膜にスリット光束を投影するスリット及び投影レンズを持つ投影光学系であって、スリット光束が前記ノズルの中心軸方向から被検眼角膜に投影されたときと同じとなるように、前記スリット及び投影レンズがシャインプルーフの原理に基づいて配置された投影光学系と、
被検眼の斜め方向の第２軸から被検眼角膜に投影されたスリット断面像を検出する撮影レンズ及び撮像素子を持つ検出光学系であって、スリット断面像に対して前記撮影レンズ及び撮像素子がシャインプルーフの原理に基づいて配置された検出光学系と、を備え、
前記撮像素子により撮像されたスリット断面像に基づいて角膜厚を求めることを特徴とする。
（２）  （１）の眼科装置において、前記投影光学系の第１軸及び前記ノズルの中心軸が含まれる平面に対して、前記第２軸及び前記ノズルの中心軸が含まれる平面が垂直となるように前記検出光学系が配置されていることを特徴とする。
（３）  （１）の眼科装置において、前記スリットは、角膜のカーブに沿ったスリット像が投影されるように、曲面形状のスリット板に形成されていることを特徴とする。
【発明の効果】
【０００９】
本発明によれば、眼圧測定用のノズルを通さずにスリット光束を投影し、広い範囲の角膜断面画像を精度良く得て角膜厚を測定できる。
【発明を実施するための最良の形態】
【００１０】
本発明の実施形態を図面に基づいて説明する。図１は、角膜厚測定手段と眼圧測定手段を持つ眼科装置の光学系を上から見たときの概略図である。図２は流体噴射機構の側方概略及び、角膜厚検出光束投影光学系を示した図である。
【００１１】
＜観察光学系＞  観察光学系１０は上下左右方向のアライメント用の指標（後述する）を検出する指標検出光学系を兼ねる。観察光学系１０の光路上には気体を噴出するノズル６がガラス板８ａ，８ｂに保持されて配置され、ノズル６の中心軸Ｌ１と観察光学系１０の光軸とは一致している。ノズル６の内径は、直径２．４mmである。中心軸Ｌ１と一致する観察光軸上には、ビームスプリッタ１１、対物レンズ１２、ビームスプリッタ１４、フィルタ１５、ＣＣＤカメラ１６が配置されている。フィルタ１５は、アライメント指標光学系（後述）の光を透過し、可視光及び距離指標投影光学系（後述）の光に対して不透過の特性を持つ。ＣＣＤカメラ１６に結像した像はモニタ１７に表示される。
【００１２】
＜固視光学系＞  固視光学系２５は、可視光（波長５５０ｎｍ）を発する光源２６、固視標板２７、投影レンズ２８を持つ。光源２６の点灯により固視標板２７を出射した光束は、投影レンズ２８を通過後、ビームスプリッタ１４によって反射されて被検眼Ｅに向かう。
【００１３】
＜アライメント指標投影光学系＞  ３０はアライメント指標投影光学系を示す。中央指標投影用赤外ＬＥＤ３１を出射した光束は、投影レンズ３２を介してビームスプリッタ１１により反射され、被検眼角膜Ｅｃに照射される。角膜Ｅｃで鏡面反射される光束により、アライメント指標ｉ１が形成され、ＣＣＤカメラ１６に指標ｉ１の像が撮像される。
【００１４】
＜距離指標投影・検出光学系＞  ５０は距離指標投影光学系である。赤外ＬＥＤ５１を出射した光は投影レンズ５２によって平行光束とされ、角膜Ｅｃに投光される。６０は距離指標検出光学系である。ＬＥＤ５１により照射された光により、指標ｉ６が形成される。指標ｉ６の光束は受光レンズ６１、ＬＥＤ３１の光に対して不透過の特性を持つフィルタ６２、ビームスプリッタ５６を介し一次元位置検出素子６３に入射する。制御部１００（図３参照）は検出素子６３で検出される受光位置に基づいて作動距離情報を得る。距離指標投影光学系５０は、角膜変形検出用の投光光学系を兼ねる。
【００１５】
＜角膜変形検出光学系＞  ５５は角膜変形検出光学系である。角膜で反射した光は受光レンズ６１、フィルタ６２を通過した後、ビームスプリッタ５６で反射し、ピンホール板５７を通過して光検出器５８に受光される。この検出光学系５５は、被検眼が所定の変形状態のときに光検出器５８の受光量が最大になるように配置されている。
【００１６】
＜角膜厚検出光束投影光学系＞  図２における７０は角膜厚測定手段の角膜厚検出光束投影光学系を示す。L７０は光学系７０の光軸である。スリット投影用光源７１を出射した光（波長４６０ｎｍ）は、集光レンズ７２、紙面に向かって左右方向（図２上の水平方向）にスリット幅の長辺側を有するスリット７３を照明する。スリット７３は平板に形成されている。スリット７３を出射したスリット光束は、投影レンズ７５を通過後、被検眼の斜め方向の光軸Ｌ７０から被検眼角膜Ｅｃに投影される。中心軸Ｌ１と光軸Ｌ７０との成す角度は、好ましくは４５度である。スリット７３は、投影レンズ７５を介して被検眼角膜Ｅｃと略共役位置に置かれている。スリット７３の幅はできるだけ細く、角膜上の結像位置で１００μｍ以下が好ましい。一方、スリット光束はできるだけ光量を確保できることが好ましい。例えば、本実施形態では５０μｍの幅となるように形成されている。また、スリット７３の長さは、角膜曲率を精度良く検出可能にするために、ノズル６の直径より長く、角膜上で３ｍｍ以上確保することが好ましい。この例では、角膜上で４ｍｍの長さとなるように形成されている。
【００１７】
ここで、光学系７０は、スリット光束がノズル６の中心軸Ｌ１（正面）方向から被検眼角膜Ｅｃに投影されたときと同じとなるように、角膜に形成されるスリット像に対してスリット７３及び投影レンズ７５がシャインプルーフの原理に基づいて配置された投影光学系とされている。すなわち、スリット７３のスリット面、投影レンズ７５の主平面及びスリット７３の結像面の延長面が、１本の交線で交わるような配置とされている。なお、この実施形態においては、スリット光束が被検眼角膜に対して上下方向（図２においては、紙面と平行な方向）を長辺側として投影されるように、スリット７３が配置されている。
【００１８】
＜角膜厚検出光学系＞  図１における９０ａおよび９０ｂは、スリット断面像を撮像して角膜厚を検出するための角膜厚検出光学系である。L９０a、L９０ｂはそれぞれ、光学系９０ａ、９０ｂの光軸である。光軸Ｌ９０ａ、９０ｂは、それぞれ被検眼の斜め方向から被検眼角膜に投影されたスリット断面像を撮像するように配置されている。光軸L９０ａ、L９０ｂは中心軸Ｌ１を挟んで対称に配置され、中心軸Ｌ１に対して光軸Ｌ９０ａが成す角度、中心軸Ｌ１に対して光軸Ｌ９０ｂが成す角度は、それぞれ好ましくは４５度である。また、光軸L９０ａ、L９０ｂ及び中心軸L１は同一平面内に配置され、この平面と、投影光学系７０の光軸Ｌ７０及び中心軸Ｌ１が成す平面（光軸Ｌ７０と中心軸Ｌ１とが含まれる平面）と、は互いに垂直となるように配置されている。
【００１９】
９１ａ及び９１ｂは撮影レンズ、９２ａ及び９２ｂは撮像素子としての２次元ＣＣＤである。検出光学系９０ａは、先述のスリット７３によるスリット光束（図１においては、紙面に対して垂直方向を長辺側として投影される）による光断面、撮影レンズ９１ａの主平面、及びＣＣＤ９２ａの結像面の延長面が１本の交線で交わるような、シャインプルーフの原理に基づく配置とされている。被検眼角膜に対してＣＣＤ９２aは、共役位置に置かれる。角膜厚検出光学系９０ｂも光学系９０ａと同様な配置である。検出光学系は１つで良いが、被検眼に対して斜め方向から撮像するため、被検者の鼻等により検出光が遮られたときにもう一方の検出光学系を使用できるように２つ設けている。すなわち、右眼測定の選択時は検出光学系９０ｂが使用され、左眼測定の選択時は検出光学系９０ａが使用される。
【００２０】
以上のように、投影光学系７０と、検出光学系９０a，９０ｂの双方をシャインプルーフ光学系で構成することで、より鮮明な断面像を取得することが可能となる。
【００２１】
図２において、８０はノズル６を介して圧縮流体（空気）を角膜に噴射する流体空気噴射機構である。１は空気圧縮用のシリンダ部であり、眼圧計本体の水平線に対して傾斜して設けられている。２はピストン、３はロータリソレノイドであり、ロータリソレノイド３に駆動エネルギである電荷（電流、電圧）が付与されると、アーム４、コネクティングロッド５を介してピストン２をシリンダ１に沿って上に押し上げる。ノズル６の背面に設けられたガラス板９は、ガラス板８a及び８ｂと同様に透明であり、背後には先述した観察光学系やアライメント光学系等が配置される（図示は略す）。７はシリンダ部１の内部圧力を検出する圧力センサである（詳しくは、本出願人による特開平２００３−２５０７６５号公報を参照）。
【００２２】
［制御系］  図３に装置の制御系の要部構成図を示す。１００は制御部、１０１はＣＣＤカメラ１６に接続された画像処理部である。８１は文字情報や図形等を生成する表示部、８２はＣＣＤカメラ１６からの画像と表示部８１からの表示データとを合成する合成部である。８４は測定開始の信号を入力する測定スイッチである。制御部１００は画像処理部１０１により処理されて検出される指標像を基に上下左右のアライメント情報を得る。また、制御部１００は一次元位置検出素子６３からの信号により、作動距離方向のアライメント情報を得る。１０４は被検眼に対して図１及び２の光学系及び流体空気噴射機構等が配置された測定部を移動させる３次元移動機構である。
【００２３】
２次元ＣＣＤ９２ａ，９２ｂは画像処理部１３１に接続され、画像処理部１３１により前眼部の断面像が処理されて角膜厚が検出される。画像処理部１３１は制御部１００に接続されている。また、制御部１００には、測定結果を記憶するメモリ１３４、角膜厚を基に眼圧を補正するための眼圧補正式を記憶するメモリ１３５、各種のスイッチを持つスイッチ部８３が接続されている。スイッチ部８３は、被検眼の眼圧値として決定するための眼圧補正式を選択するスイッチ、オートアライメントの選択スイッチ、角膜厚と眼圧測定を連続して自動的に行うモードを選択するスイッチ等の各種のスイッチを備える。スイッチ部８３としては、モニタ１７に付加したタッチパネル式とすると都合が良い。
【００２４】
以上のような構成を備える装置において、以下にその動作を説明する。ここで、角膜厚測定後、眼圧測定を自動的に行うモードが選択されている場合を説明する。
【００２５】
検者は、被検眼に対して図１に示した光学系のアライメントを行う。ＣＣＤカメラ１６により撮像される指標ｉ１に基づいて左右上下方向のアライメント状態が検出される。一次元位置検出素子６３の出力に基づいて作動距離方向のアライメント状態が検出される。制御部１００はこれらのアライメント情報に基づき三次元移動機構１０４を作動させ、光学系のアライメントをする。
【００２６】
光学系のアライメントが完了すると、制御部１００はトリガ信号を自動的に発して角膜厚測定を行う。スリット投影用光源７１の点灯により被検眼角膜にスリット光が投影される。ここで、投影光学系７０によるスリット光束はノズルを通さずに、装置の下方の斜め方向から投影されるが、投影光学系７０がシャインプルーフの原理に基づく配置とされているため、正面方向からスリット光束が投影されたときと同じように、スリット光束が一様に角膜前面に投影される。
【００２７】
図４は、スリット７３と角膜に投影されるスリット像７３ｓの結像関係を説明する図である。図４（ａ）は投影光学系７０がシャインプルーフの原理に基づく配置の場合であり、図４（ｂ）は光学系７０の光軸Ｌ７０に対してスリット７３が直交する方向に配置された場合を示したものである。
【００２８】
図４（ａ）のシャインプルーフの原理に基づく投影光学系７０の配置においては、光軸Ｌ７０上に位置するスリット７３の中心Ｓ０と角膜前面付近（標準的な眼の角膜前面と角膜後面の中間）は共役とされている。そして、スリット７３の両端Ｓ１及びＳ２から発した光も、ほぼ角膜Ｅｃの前面付近に結像する。これを角膜の正面から見ると、図５（ａ）に示すように、正面方向からスリット光束を投影した場合と同様に、一様に細く、シャープなスリット像７３Ｓが形成される。
【００２９】
一方、図４（ｂ）の投影光学系の配置においては、光軸Ｌ７０上に位置するスリット７３の中心Ｓ０と角膜前面付近は共役であるが、スリット７３の両端Ｓ１及びＳ２から発した光は、角膜Ｅｃの前面付近に結像せず、ぼけたスリット像が形成されることになる。これを、角膜の正面から見ると、図５（ｂ）に示すように、角膜中心から離れるに従ってボケたスリット像７３Ｓとして形成される。スリット像の結像性能が低下すると、その光切断面画像の性能も低下することになる。
【００３０】
シャインプルーフの原理に基づく投影光学系７０にて一様なスリット光束が角膜に投影され、そのスリット光束により光切断された角膜断面像は、ＣＣＤ９２ａ又は９２ｂに撮像される。検出光学系９０ａ、９０ｂもシャインプルーフの原理に基づく配置とされているため、奥行き方向（軸Ｌ１方向）においてもピントが合った像として撮像される。
【００３１】
ＣＣＤ９２ａの画像信号は画像処理部１３１に入力される。図６は、ＣＣＤ９２ａ（又は９２ｂ）により撮像された角膜断面画像の例である。図６における角膜組織内部１２１の散乱光、角膜前面１２２及び角膜後面１２３の反射光が画像処理部１３１にて検出される。図６は、シャインプルーフの原理によって生ずる位置に対する倍率変化を補正した像である。ここで、角膜前面１２２については実際の断面像であるが、角膜後面１２３は角膜前面による屈折の影響を受けているため、屈折後の見かけの像である。したがって、この断面画像における角膜前面１２２及び角膜後面１２３の位置関係は相対的なものであり、実際の角膜の厚みを得るためには、角膜後面の位置を補正することが必要となる。
【００３２】
図７は、角膜後面の位置補正を説明する図である。スリット光の光断面は、軸Ｌ１に沿って紙面に垂直な平面とする。見かけ上の後面上の点Ｂ０から出た光は、角膜前面Ｐで屈折され、あたかも点Ｂ１から出たように光線ＬＯ（撮影光軸）上を進む。ここで、点Ｐ上の屈折は、入射点Ｐでの法線と入射角θ及び角膜の屈折率ｎを与えることにより、スネルの法則を使って求めることができる。入射点Ｐでの入射角θは設計的に既知であり、角膜の屈折率も既知の値を使用できる。入射点Ｐでの法線は、角膜前面１２２の曲率半径ｒが分かれば得られる。角膜前面１２２の曲率半径ｒ（及びその曲率中心Ｏ）は、ＣＣＤ９２ａ（又は９２ｂ）により撮像された図６の断面画像を画像処理することにより近似的に求められる。点Ｂ０が求められれば、角膜前面１２２の軸Ｌ１上の点Ａとの距離により、補正された実際の角膜厚ｔ１（軸Ｌ１上の角膜厚）を得ることができる。
【００３３】
角膜厚測定が終了すると、角膜厚ｔ１はメモリ１３４に記憶される。制御部１００はアライメント状態の確認後、流体噴射機構８０を作動させる。被検眼の角膜Ｅｃは圧縮空気の吹き付けによって徐々に変形を生じ、圧平（所定の変形状態）されると、光検出器５８の受光量が最大になる。制御部１００は、空気を噴射してから角膜が圧平検出されたときの時間又は噴射した空気の圧力検知を基に眼圧値を算出する。算出された眼圧値はメモリ１３４に記憶される。そして、制御部１００は、測定により眼圧値（測定眼圧値とする）が得られると、メモリ１３５に記憶された眼圧補正式を使用し、角膜厚ｔ１及び測定眼圧値により補正眼圧値を算出する（例えば、特表平８−５０７４６３号公報を参考にされたい）。
【００３４】
また、本装置の角膜厚測定においては、角膜頂点を基準にした軸Ｌ１上の角膜厚のみでなく、ノズル６の直径より広い範囲の角膜厚が得られる。すなわち、補正後の角膜後面１２３が分かれば、図６の角膜断面画像をモニタに表示させ、角膜上の任意の点Ｐnを指定することにより、角膜前面１２２の曲率中心Ｏと点Ｐnを結ぶ線分方向の角膜厚ｔｎを求めることができる。また、角膜断面の全周において角膜厚を求めることより、最も角膜厚が薄い位置とその角膜厚を制御部１００が自動的に算出し、その結果をモニタ１７に表示することもできる。角膜厚の情報を広い範囲で知ることにより、この情報を屈折矯正等に利用することができる。
【００３５】
図８は、本発明の他の実施形態を説明する図である。この実施形態において、図１にて角膜厚検出光学系９０a及び９０ｂが配置されていた部分に、代わりとして２組の角膜厚検出光束投影光学系７０a及び７０ｂを配置したものである。L７０a、L７０ｂはそれぞれ、光学系７０ａ、７０ｂの光軸である。７１a及び７１ｂはスリット投影用光源（波長４６０ｎｍ）、７２a及び７２ｂは集光レンズ、７３a及び７３ｂは紙面に向かって左右方向（紙面上で水平方向）に長辺側を有するスリット、７５a及び７５ｂは投影レンズである。被検眼角膜Ｅｃに対してスリット７３a及び７３ｂは共役位置に置かれる。
【００３６】
ここで、投影光学系７０ａは、スリット光束がノズル６の中心軸Ｌ１（正面）方向から被検眼角膜Ｅｃに投影されたときと同じとなるように、角膜に投影されるスリット像に対してスリット７３ａ及び投影レンズ７５ａがシャインプルーフの原理に基づいて配置された投影光学系とされている。すなわち、投影光学系７０aは、スリット７３aの面、投影レンズ７５aの主平面、及び被検眼角膜Ｅｃの結像面の延長面が１本の交線で交わるような配置とされている。被検眼角膜Ｅｃに投影されるスリット光束は、図８上の上下方向（被検眼に対して左右方向）にスリット幅の長辺側を有している。光学系７０ａおよび７０ｂは軸Ｌ１を挟んで左右方向に対称的に配置され、投影光学系７０ｂも投影光学系７０ａと同様な配置である。投影光学系は１つで良いが、被検眼に対して左右の斜め方向からスリット光束が投影されるため、被検者の鼻等により投影光が遮られたときにもう一方の光学系を使用できるように２つ設けている。すなわち、右眼測定の選択時は光学系７０ｂが使用され、左眼測定の選択時は光学系７０ａが使用される。
【００３７】
図９は、図８の実施形態における流体噴射機構の側方概略及び、角膜厚検出光学系を示した図である。図９では、図２で投影光学系７０が配置されていた部分に、代わりとして角膜厚検出光学系９０を配置したものである。L９０は、光学系９０の光軸である。光軸L７０a、L７０ｂ及びL１は同一平面内に位置している。この平面と、光軸L９０とL１を含む平面と、は互いに垂直な位置関係に配置されている。９１は撮影レンズ、９２は２次元ＣＣＤである。角膜厚検出光学系９０は、先述のスリット７３aもしくは７３ｂによるスリット光束（図９においては、紙面に対して垂直方向を長辺側として投影されるスリット光束）による光断面、撮影レンズ９１の主平面、及びＣＣＤ９２の結像面の延長面が１本の交線で交わるような、シャインプルーフの原理に基づく配置とされている。また、被検眼角膜Ｅｃに対して、ＣＣＤ９２は共役位置に置かれる。
【００３８】
この例の場合も、投影光学系７０ａ又は７０ｂにより、ノズル６を通することなく、一様なスリット光束が角膜に投影される。そして、スリット光束により光切断された角膜断面像が、シャインプルーフの原理に基づく配置とされた検出光学系９０のＣＣＤ９２により撮像される。これにより、広い範囲に亘って精度の良い角膜断面像を得て角膜厚を測定できる。
【００３９】
以上説明したように、軸L１を基準として、投影光学系の光軸と検出光学系の光軸が垂直な位置関係に配置されていれば、本発明は先述の構成（図１及び２、図８及び９）に限定されるものではない。しかしながら開瞼を苦手とする被検者の場合、被検眼の上方より光束を投影あるいは検出することは瞼によるケラレが生じやすいために好ましくない。
【００４０】
また、これまで平板に長方形の切り込みの入ったスリットについて述べたが、これに限るものではない。例えば、図１０（ａ）、（ｂ）に示すように、平均的な曲率を持つ角膜Ｅｃのカーブに沿ったスリット像が投影されるように、投影レンズ７５による結像関係を基に製作した曲面ＳＫを持つスリット板１７３にスリット１７３Ｋを形成する。このスリット１７３を、図２のスリット７３に代えて配置する場合を図１０（ｃ）に示す。スリット板１７３の凸面カーブを図１０（ｃ）の下向きにかつ、スリット中心O１７３を（スリット板７３に接する面に位置すべく）光軸L７０上に配置させる。このようなスリット板１７３のスリットを用いることにより、角膜前面によりピントの合ったスリット光束を投影し、角膜を光切断することができる。
【図面の簡単な説明】
【００４１】
【図１】本発明の眼科装置の光学系を上から見たときの図である。
【図２】流体噴射機構の側方及び角膜厚検出光束投影光学系を示す図である。
【図３】制御系を示す図である。
【図４】スリットとスリット像の結像関係を説明する図である。
【図５】スリット像の例を説明する図である。
【図６】角膜断面画像を説明する図である。
【図７】角膜後面の位置補正を説明する図である。
【図８】本発明の変容例の光学系を上から見たときの図である。
【図９】本発明の変容例を横から見た図である。
【図１０】スリット板の変容例を説明する図である。
【符号の説明】
【００４２】
６  ノズル
１０  観察光学系
１７  モニタ
７３  スリット
７５  投影レンズ
９１ａ、９１ｂ  撮影レンズ
９２ａ、９２ｂ  ２次元ＣＣＤ
１００  制御部
１３４  メモリ
【図１】
2008011878.tif 000003
【図２】
2008011878.tif 000004
【図３】
2008011878.tif 000005
【図４】
2008011878.tif 000006
【図５】
2008011878.tif 000007
【図６】
2008011878.tif 000008
【図７】
2008011878.tif 000009
【図８】
2008011878.tif 000010
【図９】
2008011878.tif 000011
【図１０】
2008011878.tif 000012